(57)【特許請求の範囲】
【請求項１】
エンジン（６）と車輪（７）とがハンドル（４１）を有するフレーム（８）に取付けられ上記エンジン（６）から前方下傾方向へ延設された保持杆（５）の先端（５ａ）に上記エンジン（６）の回転駆動力が伝えられる回転伝達部（９）を有する手押し式刈払機（４０）の、上記保持杆（５）の先端（５ａ）に上記回転伝達部（９）を介して除雪部材（４）を着脱自在に取付けた除雪装置に於て、
上記除雪部材（４）は、左右中央位置（Ｃ）に設けられると共に周方向（Ｒ）に所定ピッチで複数の板羽根（１０ａ）を付設した合成樹脂製の水車型回転体（１０）と該水車型回転体（１０）の左右に各々隣接して設けられると共に相互に逆向きの螺旋形状を成すスクリュー羽根（１１ａ）（１２ａ）を付設した合成樹脂製のスクリュー型回転体（１１）（１２）とを有する雪掻き回転部材（１）と、該回転部材（１）に串刺し状として抜差自在に挿通する断面多角形状の軸部材（２）と、雪（Ｓ）を上方へ誘導する弯曲板部（３１ａ）を有すると共に上記回転部材（１）の後方近傍を包囲するように設けられたハウジング部材（３）と、を備え、
上記水車型回転体（１０）は、左右両端部に平行に配設される一対の円板部（１４）（１４）と、一対の該円板部（１４）（１４）を連結する筒状連結部（１３）と、該筒状連結部（１３）の外周面（１３ａ）及び一対の上記円板部（１４）（１４）の内面（１４ａ）（１４ａ）に固着した複数の上記板羽根（１０ａ）と、を有し、上記板羽根（１０ａ）を、上記周方向（Ｒ）に３０°〜５０°の傾斜角度（θ０）をもって前傾し、上記円板部（１４）（１４）の外周面を上記ハウジング部材（３）の上記弯曲板部（３１ａ）と所定寸法の間隙（ｇ）をもって配設し、
上記回転部材（１）は、上記エンジン（６）の回転駆動力によって水平軸心（Ｌ）廻りに回転駆動され、上記回転部材（１）に接触してくる上記雪（Ｓ）を細粒状とし、上記スクリュー型回転体（１１）（１２）によって上記細粒状の雪（Ｓ）を上記水平軸心（Ｌ）方向に掻き寄せて、上記円板部（１４）（１４）の外周面と上記ハウジング部材（３）の上記弯曲板部（３１ａ）の上記間隙（ｇ）に上記細粒状の雪（Ｓ）を通して上記中央位置（Ｃ）へ移送すると共に該中央位置（Ｃ）に集めた該細粒状の雪（Ｓ）を上記水車型回転体（１０）により上方へ掻き出すように構成したことを特徴とする除雪装置。
【発明の詳細な説明】
【技術分野】
【０００１】
本発明は、除雪装置に関する。
【背景技術】
【０００２】
従来、エンジンを搭載した車体の前部に、前方に開口した雪飛ばし用のハウジングが取付けられ、かつ、エンジンの回転駆動力により横方向軸心廻りに回転する集雪用のオーガがハウジングの前方に包囲状となるように設けられ、かつ、ハウジングの後部に、オーガが回転して中央部に集めた雪をシュートで飛ばすためのブロアが設けられた除雪装置が広く知られていた。
しかし、従来の除雪装置は、１つのエンジンからの駆動力によって、オーガとブロアの両方を回転させて、オーガで雪を中央部に集める作業と、ブロアで雪を上方へ飛ばす作業とを同時に行なうため、エンジンに連結されたシャフトに掛かるトルクが大きくなり、エンジンに非常に大きな負荷が掛かるため、故障が発生し易い。
【０００３】
そこで、本発明者は、エンジンに負荷を掛けずに除雪作業を行なうことができる除雪装置を提案した（特許文献１参照）。
【先行技術文献】
【特許文献】
【０００４】
【特許文献１】特開２００７−３０９０５０号公報
【発明の概要】
【発明が解決しようとする課題】
【０００５】
特許文献１記載の除雪装置は、新しく積もったばかりの雪を除雪する際は、容易に上方に飛ばすことができ、除雪効果も非常に良好なものであった。
しかし、降り積もってから時間が経過しシャーベット状になった雪を除雪する際には、短時間に多量の雪が回転部材に集まり、隙間に詰まって固まってしまうため、エンジンに荷重負荷を掛けてしまうという問題があった。回転部材の回転が阻害されると、スムーズに除雪が行えないため、除雪作動を中断・停止せざるを得なくなり、作業効率が低下する虞れがあった。
【０００６】
そこで、本発明は、シャーベット状になった雪の場合でも、スムーズに除雪を行える除雪装置を提供することを目的とする。
【課題を解決するための手段】
【０００７】
本発明に係る除雪装置は、エンジンと車輪とがハンドルを有するフレームに取付けられ上記エンジンから前方下傾方向へ延設された保持杆の先端に上記エンジンの回転駆動力が伝えられる回転伝達部を有する手押し式刈払機の、上記保持杆の先端に上記回転伝達部を介して除雪部材を着脱自在に取付けた除雪装置に於て、上記除雪部材は、左右中央位置に設けられると共に周方向に所定ピッチで複数の板羽根を付設した合成樹脂製の水車型回転体と該水車型回転体の左右に各々隣接して設けられると共に相互に逆向きの螺旋形状を成すスクリュー羽根を付設した合成樹脂製のスクリュー型回転体とを有する雪掻き回転部材と、該回転部材に串刺し状として抜差自在に挿通する断面多角形状の軸部材と、雪を上方へ誘導する弯曲板部を有すると共に上記回転部材の後方近傍を包囲するように設けられたハウジング部材と、を備え、上記水車型回転体は、左右両端部に平行に配設される一対の円板部と、一対の該円板部を連結する筒状連結部と、該筒状連結部の外周面及び一対の上記円板部の内面に固着した複数の上記板羽根と、を有し、上記板羽根を、上記周方向に３０°〜５０°の傾斜角度をもって前傾し、上記円板部の外周面を上記ハウジング部材の上記弯曲板部と所定寸法の間隙をもって配設し、上記回転部材は、上記エンジンの回転駆動力によって水平軸心廻りに回転駆動され、上記回転部材に接触してくる上記雪を細粒状とし、上記スクリュー型回転体によって上記細粒状の雪を上記水平軸心方向に掻き寄せて、上記円板部の外周面と上記ハウジング部材の上記弯曲板部の上記間隙に上記細粒状の雪を通して上記中央位置へ移送すると共に該中央位置に集めた該細粒状の雪を上記水車型回転体により上方へ掻き出すように構成したものである。
【発明の効果】
【０００８】
本発明の除雪装置によれば、雪を掻く瞬間のトルクが減少し、エンジンに掛かる負荷が大幅に低減されるため、回転部材をスムーズに回転させることができ、効率よく除雪作業を行えると共に、エンジン等の故障を抑えることができる。水車型回転体及びスクリュー型回転体を同時に回転することができ、雪を左右中央位置に掻き集めると共に、その集められた雪を確実に上方に飛ばすことができる。また、回転部材を全て一体として製造する場合、金型の製造コストが非常に高価になるが、水車型回転体及びスクリュー型回転体を分割して製造することで、金型の製造コストを大幅に低減でき、しかも、高精度に製造できる。また、修理の必要が生じた際に、回転部材を全て一体として交換することなく、水車型回転体及びスクリュー型回転体を分割して交換することができる。
【図面の簡単な説明】
【０００９】
【図１】本発明の除雪装置の実施の一形態を示した斜視図である。
【図２】除雪装置の要部を拡大して示した一部破断正面図である。
【図３】除雪装置の要部拡大断面正面図である。
【図４】除雪装置の要部拡大断面側面図である。
【図５】除雪装置の使用状態を例示した一部破断平面図である。
【図６】除雪装置の他の使用例を示した斜視図である。
【発明を実施するための形態】
【００１０】
以下、実施の形態を示す図面に基づき本発明を詳説する。
図１及び図２に示すように、本発明の除雪装置は、手押し式刈払機４０に、地面に積もった雪Ｓを掻いて取り除く除雪部材４を取付けている。
手押し式刈払機４０は、エンジン６と車輪７とがハンドル４１を有するフレーム８に取付けられ、エンジン６から前方下傾方向へ延設された保持杆５の先端５ａにエンジン６の回転駆動力が伝えられる回転伝達部９を有し、回転伝達部９を介して保持杆５の先端５ａに除雪部材４を取付けている。回転伝達部９は、保持杆５の先端５ａにギアケース１８を備え、エンジン６とギアケース１８内のギアは、保持杆５の内部に回転自在に配設される駆動シャフトにて連動連結されて、ギアケース１８に突設した回転軸部１９を水平軸心Ｌ廻りに回転させるように構成している。
【００１１】
図２〜図４に示すように、除雪部材４は、雪Ｓを上方へ掻き出す水車型回転体１０と、雪Ｓを水平軸心Ｌ方向に掻き寄せるスクリュー型回転体１１，１２と、を有する雪掻き回転部材１を備えている。
回転部材１は、回転伝達部９を介してエンジン６の回転駆動力を伝えられる軸部材２を、串刺し状として貫通し、水平軸心Ｌ廻りに回転駆動されている。軸部材２は、断面多角形状に形成された金属製パイプから成り、一端を回転伝達部９の回転軸部１９に嵌着している。さらに、回転部材１の後方近傍には、ハウジング部材３が設けられている。言い換えれば、図２及び図３に於て、回転部材１は、正面から見て、水平軸心Ｌ方向の左から右に、順次、スクリュー型回転体１１と、水車型回転体１０と、スクリュー型回転体１２と、を分離・連結自在に並べて配設し、串刺し状として一体に回転するように構成している。
なお、回転部材１及び軸部材２の回転方向Ｘは、図２及び図３に於て前回りの方向であり、図４に於て反時計回りの方向である。
【００１２】
図２及び図３に示すように、水車型回転体１０は、回転部材１の左右中央位置Ｃに設けられ、周方向Ｒに所定の等ピッチで複数の板羽根１０ａ…を付設している。図４に於て、９０度毎の等ピッチで４つの板羽根１０ａ…を付設した場合を例示しているが、板羽根１０ａ…の数及びピッチ角は適宜設計変更が可能なものとする。水車型回転体１０は、合成樹脂から成り、その材料としては、ポリウレタン又はポリエチレン等を用いるのが好ましい。水車型回転体１０は、左右両端部に一対の円板部１４，１４を平行に配設し、円筒状の連結部１３にて円板部１４，１４を連結している。板羽根１０ａは、連結部１３の外周面１３ａ及び円板部１４，１４の内面１４ａ，１４ａに固着され、放射状に配設されている。板羽根１０ａは、内側壁面を連結部１３の外周面１３ａに支持され、かつ、左右両側面を円板部１４，１４の内面１４ａ，１４ａに支持されているため、強度が高く確実に固定されている。さらに、板羽根１０ａは、周方向Ｒに３０°〜５０°の傾斜角度θ０をもって前傾（回転方向Ｘに向けて傾倒）している。水車型回転体１０には、円板部１４，１４の中央に開口し軸部材２を隙間無く嵌入可能な多角形状の差込孔部１５が貫設され、差込孔部１５に軸部材２を抜差自在に挿通して串刺し状となっている。つまり、水車型回転体１０は、軸部材２により回転駆動され、雪Ｓを上方へ掻き出すように構成している。
【００１３】
水車型回転体１０の左右には、一対のスクリュー型回転体１１，１２が、各々隣接して設けられている。スクリュー型回転体１１，１２は、ポリエチレンから成る合成樹脂を用いて作製する。スクリュー型回転体１１，１２は、左右両端部に一対の円板部２４，２４を平行に配設し、筒状の連結部２３にて円板部２４，２４を連結している。スクリュー型回転体１１，１２は、円板部２４，２４の中央に開口し軸部材２を隙間無く嵌入可能な多角形状の差込孔部２５が貫設され、差込孔部２５に軸部材２を抜差自在に挿通して串刺し状となっている。
スクリュー型回転体１１は、水平軸心Ｌ方向の左から右に（左外側から内側に）雪Ｓを掻き寄せるようなスクリュー羽根１１ａを、連結部２３の外周面２３ａに形成している。一方、スクリュー型回転体１２は、水平軸心Ｌ方向の右から左に（右外側から内側に）雪Ｓを掻き寄せるようなスクリュー羽根１２ａを、連結部２３の外周面２３ａに形成している。つまり、一対のスクリュー型回転体１１，１２は、相互に逆向きの螺旋形状を成すスクリュー羽根１１ａ，１２ａを設け、スクリュー羽根１１ａ，１２ａにより雪Ｓを水平軸心Ｌ方向の外側から内側に掻き集めて、水車型回転体１０の配設された中央位置Ｃへ移送するように構成している。
従って、回転部材１は、スクリュー型回転体１１，１２によって雪Ｓを水平軸心Ｌ方向に掻き寄せて中央位置Ｃへ移送しつつ、中央位置Ｃに集めた雪Ｓを水車型回転体１０により上方へ掻き出すように構成している。
【００１４】
次に、図２及び図４に示すように、ハウジング部材３は、回転部材１の後方近傍を包囲するように設けられている。ハウジング部材３は、横断面上方前傾状の略Ｊ字状に形成され雪Ｓを上方へ誘導する投雪壁部３１と、後辺部が投雪壁部３１の各側辺部に沿って一体に形成された前後方向の側壁部３５，３５と、投雪壁部３１の下端縁３２に沿うように付設された雪掬い部材３３と、を有している。投雪壁部３１は、横断面上方前傾状の平板部３１ｂと、平板部３１ｂから下方へ一体に延設された弯曲板部３１ａとを有している。また、左右一対の側壁部３５，３５のうちの一方（図２に於て右側）の側壁部３５Ａには、下部にギアケース１８の取付円盤部１７がボルトで固定され、かつ、回転軸部１９を挿通する開口部３６ａを有する固定円環部３６を備えている。他方（図２に於て左側）の側壁部３５Ｂには、下部内面側に軸受部材４６が固着されている。雪掬い部材３３は、投雪壁部３１の下端縁３２に沿って形成された掬い面部３３ｃと、掬い面部３３ｃから前方に突設され前方下傾状の傾斜面部３３ｂと、傾斜面部３３ｂの前端縁と横断面鋭角状の角部３７を成して後方へ水平状に形成される摺接面部３３ａと、を有している。
【００１５】
軸受部材４６は、一端を回転軸部１９に嵌着した軸部材２の他端が装着される内輪を有する（ラジアル）ベアリング４７と、ベアリング４７の外輪が装着される孔部４８ａを有する軸受本体４８と、を有している。軸受本体４８は、側壁部３５Ｂの内面にボルトによって固定されている。軸受部材４６は、水平軸心Ｌが振れることなくスムーズに回転するように軸部材２を保持している。
ハウジング部材３は、側壁部３５Ａ，３５Ｂ間に軸部材２を架け渡して、投雪壁部３１の弯曲板部３１ａと円板部１４の外周面が所定寸法の間隙ｇをもって近接するように、回転部材１を軸支している。間隙ｇは、スクリュー羽根１１ａ，１２ａにより掻き寄せられて中央位置Ｃへ移送されてくる雪Ｓが、一気に水車型回転体１０に集中しないように十分に狭くなっている。
【００１６】
また、図１及び図５に於て、手押し式刈払機４０は、保持杆５の中間位置に取付けられ除雪部材４の高さを一定に保持する球体状の高さ設定具４２を有している。車輪７は、ブロー成形により形成された中空のタイヤ型乃至樽型（殻構造）であって、高さ設定具４２の大きさと同程度又は高さ設定具４２よりも大きな径を有している。車輪７の左右両側には、一対の補助輪が配設されている。また、手押し式刈払機４０は、保持杆５の中間に一端２６ａを着脱自在に取付けると共にハウジング部材３の後部に他端２６ｂを取付けて、除雪部材４の向きを固定するための固定杆部材２６を有している。
なお、エンジン６は、５０００〜１００００回転/分（ｒｐｍ）の最大回転出力を有するものが望ましい。この場合、回転伝達部９は、エンジン６の回転数を減速して、回転軸部１９を２５００〜５０００回転/分（ｒｐｍ）にて回転可能に構成される。
【００１７】
上述した本発明の除雪装置の使用方法（作用）について説明する。
図１〜図４に示すように、手押し式刈払機４０のエンジン６を始動させると、回転伝達部９に接続された軸部材２及び回転部材１が水平軸心Ｌ廻りに、回転方向Ｘに回転する。ハンドル４１を持って刈払機４０を前進させると、除雪部材４に付設した雪掬い部材３３の摺接面部３３ａが地面に摺接しつつ、地面に積もった雪Ｓを傾斜面部３３ｂにて掬い上げる。雪Ｓは、スムーズにハウジング部材３内に取り込まれ回転部材１に送られる。
【００１８】
回転部材１は、前方から接触してくる雪Ｓを掻いて、バラバラに分散させつつ中央位置Ｃから上方に飛ばす。この際、回転部材１は、高回転数で回転し、新しく積もった雪Ｓをバラバラにし、降り積もってから時間が経過しシャーベット状、又は、凍結して固まった雪Ｓをも、粉々に砕いて細粒状とする。
図３及び図４に矢印で示すように、回転部材１に接触した雪Ｓは、スクリュー型回転体１１，１２によって推力を付与され水平軸心Ｌ方向に掻き寄せられる。水平軸心Ｌ方向内側に移送されてきた雪Ｓは、円板部１４と投雪壁部３１の間隙ｇを通って少量ずつ中央位置Ｃへ移送されていくため、雪Ｓが板羽根１０ａに詰まることがない。細粒状の雪Ｓは、間隙ｇに詰まることなくスムーズに移動する。これと同時に、回転部材１は、中央位置Ｃに集められた雪Ｓを、水車型回転体１０により上方へ掻き出す。水車型回転体１０は、円板部１４を乗り越えてきた雪Ｓ及び板羽根１０ａ…に直接接触してくる雪Ｓを、板羽根１０ａ…で掻いて上方に飛ばす。板羽根１０ａ…は、傾斜角度θ０をもって前傾しているため、雪Ｓを確実に掻き出す。回転部材１は、中央位置Ｃに設けた水車型回転体１０をもって雪Ｓを掻き出すため、雪を掻き出す際に軸部材２が受けるトルクは、水平軸心Ｌ方向の全長にわたって雪Ｓを掻くものに比べて、大幅に減少し、エンジン６に掛ける負荷を低減する。
【００１９】
そして、回転部材１の中央位置Ｃから上方に飛ばされた雪Ｓは、投雪壁部３１の平板部３１ｂに誘導され、前方上傾方向へ飛び出していく。ハウジング部材３は、側壁部３５，３５によって雪Ｓが側方に飛散するのを防止すると共に、前方上傾の一定方向に誘導して飛ばす。
図５に示すように、手押し式刈払機４０は、高さ設定具４２を地面にて転動させ、保持杆５の先端５ａを軽く左右に振れるので、除雪部材４を、前後のみならず左右にも大きく移動させながら、円弧状に雪Ｓを取り除いていく。このように、除雪部材４を左右に振って、ほうきで掃くように幅広く雪を掻き、効率よく除雪を行なう。しかも、積雪量に応じて、除雪部材４を振るスピードを加減しながら除雪を行えば、エンジン６に荷重負荷を掛ける虞れもなく、回転伝達部９に使用する部品数も少なく済む。
【００２０】
次に、本発明の除雪装置の他の使用例として、図６に示すように、草刈用として使用される手押し式刈払機に、固定杆部材２６と除雪部材４とを取着して除雪用として使用するもよい。この際、保持杆５の中間位置に取付けられ草が使用者側に飛来するのを防止するためのガード部材４３と、回転伝達部９に取付けられる草刈刃４４と、を交換自在とし、草刈用として使用するガード部材４３と草刈刃４４とを取外し（図中矢印５１）、除雪用として使用する固定杆部材２６と除雪部材４とに付け替えて（図中矢印５２）、草刈・除雪用の使い分けを可能としている。フレーム８に取付けられたエンジン６や車輪７等の部品は、草刈・除雪用に兼用できるように構成されている。
【００２１】
なお、本発明は、設計変更可能であって、例えば、水車型回転体１０の円板部１４，１４、及び、スクリュー型回転体１１，１２の円板部２４，２４に、貫通孔又は切欠き部を形成するもよい（図示省略）。こうすることで、円板部１４と投雪壁部３１との間に形成される間隙ｇからだけでなく、貫通孔又は切欠き部を通して多量の雪Ｓを水車型回転体１０に送ることができ、よりスムーズに中央位置Ｃに移送することができる。
【００２２】
以上のように、本発明は、左右中央位置Ｃに設けられる水車型回転体１０と、水車型回転体１０の左右に各々隣接して設けられるスクリュー型回転体１１，１２と、を有する雪掻き回転部材１を備え、かつ、回転部材１は、水平軸心Ｌ廻りに回転駆動され、さらに、回転部材１の後方近傍を包囲するように設けられたハウジング部材３を有し、スクリュー型回転体１１，１２によって雪Ｓを水平軸心Ｌ方向に掻き寄せて中央位置Ｃへ移送すると共に中央位置Ｃに集めた雪Ｓを水車型回転体１０により上方へ掻き出すように構成したので、回転部材１にて雪Ｓを掻く瞬間のトルクが減少し、エンジン６に掛かる負荷が大幅に低減されるため、回転部材１を常時スムーズに回転させることができ、効率よく除雪作業を行えると共に、エンジン６等の故障を抑えることができる。水車型回転体１０及びスクリュー型回転体１１，１２を同時に回転することができ、雪Ｓを左右中央位置に掻き集めると共に、その集められた雪Ｓを確実に上方に飛ばすことができる。また、回転部材１を全て一体として製造する場合、金型の製造コストが非常に高価になるが、水車型回転体１０及びスクリュー型回転体１１，１２を分割して製造することで、金型の製造コストを大幅に低減でき、しかも、高精度に製造できる。また、修理の必要が生じた際に、回転部材１を全て一体として交換することなく、水車型回転体１０及びスクリュー型回転体１１，１２を分割して交換することができる。
【００２３】
また、左右中央位置Ｃに設けられると共に周方向Ｒに所定ピッチで複数の板羽根１０ａを付設した水車型回転体１０と、水車型回転体１０の左右に各々隣接して設けられると共に相互に逆向きの螺旋形状を成すスクリュー羽根１１ａ，１２ａを付設したスクリュー型回転体１１，１２と、を有する雪掻き回転部材１を備え、かつ、回転部材１に串刺し状として貫通すると共に回転部材１を水平軸心Ｌ廻りに回転駆動する軸部材２を有し、さらに、回転部材１の後方近傍を包囲するように設けられたハウジング部材３を有し、スクリュー型回転体１１，１２によって雪Ｓを水平軸心Ｌ方向に掻き寄せて中央位置Ｃへ移送すると共に中央位置Ｃに集めた雪Ｓを水車型回転体１０により上方へ掻き出すように構成したので、回転部材１にて雪Ｓを掻く瞬間に軸部材２が受けるトルクが減少し、エンジン６に掛かる負荷が大幅に低減されるため、回転部材１を常時スムーズに回転させることができ、効率よく除雪作業を行えると共に、エンジン６等の故障を抑えることができる。水車型回転体１０及びスクリュー型回転体１１，１２を、軸部材２にて一体状に串刺し状として同時に回転することができ、雪Ｓを左右中央位置に掻き集めると共に、その集められた雪Ｓを確実に上方に飛ばすことができる。また、回転部材１を全て一体として製造する場合、金型の製造コストが非常に高価になるが、水車型回転体１０及びスクリュー型回転体１１，１２を分割して製造することで、金型の製造コストを大幅に低減でき、しかも、高精度に製造できる。また、修理の必要が生じた際に、回転部材１を全て一体として交換することなく、水車型回転体１０及びスクリュー型回転体１１，１２を軸部材２から抜き取って分割して交換することができる。
【００２４】
また、水車型回転体１０は、左右両端部に一対の円板部１４，１４を平行に配設し、円板部１４，１４を連結する筒状連結部１３の外周面１３ａ及び円板部１４，１４の内面１４ａ，１４ａに複数の板羽根１０ａを固着し、さらに、板羽根１０ａを、周方向Ｒに３０°〜５０°の傾斜角度θ０をもって前傾しているので、水平軸心Ｌ方向内側に移送されてきた雪Ｓが、円板部１４と投雪壁部３１の間隙ｇを通って少量ずつ中央位置Ｃへ移送されていくため、雪Ｓが板羽根１０ａに詰まることなく、水車型回転体１０により確実に雪Ｓを掻き出すことができる。また、板羽根１０ａ…の強度を向上し、確実に固定できる。さらに、水車型回転体１０は、板羽根１０ａ…に雪Ｓを保持しながら回転し、確実に掻き出すことができる。
【００２５】
また、軸部材２を断面多角形状とし、かつ、水車型回転体１０及びスクリュー型回転体１１，１２に軸部材２を嵌入可能な多角形状の差込孔部１５，２５を貫設し、差込孔部１５，２５に軸部材２を抜差自在に嵌着しているので、水平軸心Ｌ方向に、水車型回転体１０とスクリュー型回転体１１，１２とを分離・連結自在に並べて、串刺し状とした一体の回転部材１として構成できる。即ち、水車型回転体１０とスクリュー型回転体１１，１２とを、同軸状に回転させることで、安定して雪Ｓを掻き出すことができる。また、水車型回転体１０及びスクリュー型回転体１１，１２の交換・修理が非常に簡単に行える。
【符号の説明】
【００２６】
１  回転部材
２  軸部材
３  ハウジング部材
４  除雪部材
５  保持杆
５ａ  先端
６  エンジン
７  車輪
８  フレーム
９  回転伝達部
１０  水車型回転体
１０ａ  板羽根
１１  スクリュー型回転体
１１ａ  スクリュー羽根
１２  スクリュー型回転体
１２ａ  スクリュー羽根
１３  連結部
１３ａ  外周面
１４  円板部
１４ａ  内面
１５  差込孔部
２５  差込孔部
３１ａ 弯曲板部
４０  手押し式刈払機
４１  ハンドル
Ｃ  左右中央位置
Ｌ  水平軸心
Ｓ  雪
Ｒ  周方向
θ０  傾斜角度
ｇ  間隙
【図１】
0005555062.tif 000002
【図２】
0005555062.tif 000003
【図３】
0005555062.tif 000004
【図４】
0005555062.tif 000005
【図５】
0005555062.tif 000006
【図６】
0005555062.tif 000007